(57)【要約】【課題】利用者の生活行動圏を中心とする店舗等情報を、容易に検索・閲覧可能な広告情報登録・表示システムに関する技術を提供する。【解決手段】予め定められた複数のエリアの中から選択した一又は複数のエリアを登録生活行動圏エリアとして利用者端末から登録し、店舗広告更新情報を広告依頼者端末に随時入力し、登録生活行動圏エリアを含む利用者情報と、広告依頼者店舗名称情報、広告依頼者店舗位置情報、前記店舗広告更新情報を含む広告依頼者店舗情報と、をデータベースサーバに保存するステップと、管理サーバが、前記登録生活行動圏エリアの中から選択された選択エリア地図と、前記選択エリア内に存在する広告依頼者店舗位置を、地図データベースと照合して選択エリア地図上に表示する。【選択図】図１ 
2006040129.tif 000002
【特許請求の範囲】
【請求項１】
利用者端末と、広告依頼者端末と、データベースサーバと、地図データベースと、各端末及び各データベース間の通信制御を行う管理サーバと、を含み、これらがインターネット回線を介して相互に通信可能な広告情報登録・表示システムであって、
利用者端末は、予め定められた複数のエリアの中から選択した一又は複数のエリアを登録生活行動圏エリアとして登録可能に構成され、
広告依頼者端末は、店舗広告更新情報を随時入力可能に構成され、
データベースサーバは、前記登録生活行動圏エリア情報を含む利用者情報と、広告依頼者店舗名称情報、広告依頼者店舗位置情報、前記店舗広告更新情報を含む広告依頼者情報と、を保存する手段を備え、
管理サーバは、前記登録生活行動圏エリアの中から選択された選択エリア地図と、前記選択エリア内に存在する広告依頼者店舗位置を、地図データベースと照合して選択エリア地図上に表示可能に作成する手段と、
を備えて成ることを特徴とする広告情報登録・表示システム。
【請求項２】
前記選択エリア地図は、複数の縮尺表示が選択可能に構成され、かつ、選択された縮尺に関わらず、前記店舗広告更新情報を最新入力から順に所定数の店舗位置を、アイコン表示可能に構成したことを特徴とする請求項１に記載の広告情報登録・表示システム。
【請求項３】
利用者端末と、広告依頼者端末と、データベースサーバと、地図データベースと、各端末及び各データベース間の通信制御を行う管理サーバと、を含み、これらがインターネット回線を介して相互に通信可能な広告情報登録・表示システムにおいて、
予め定められた複数のエリアの中から選択した一又は複数のエリアを登録生活行動圏エリアとして利用者端末から登録するステップと、
店舗広告更新情報を広告依頼者端末から随時入力するステップと、
前記登録生活行動圏エリアを含む利用者情報と、広告依頼者店舗名称情報、広告依頼者店舗位置情報、前記店舗広告更新情報を含む広告依頼者店舗情報と、をデータベースサーバに保存するステップと、
管理サーバが、前記登録生活行動圏エリアの中から選択された選択エリア地図と、前記選択エリア内に存在する広告依頼者店舗位置を、地図データベースと照合して選択エリア地図上に表示可能に作成するステップと、
を含むことを特徴とする広告情報登録・表示方法。
【請求項４】
複数の縮尺表示から選択される地図の縮尺に関わらず、最新の前記店舗広告更新情報入力から順に予め定めた数の店舗位置を表示することを特徴とする請求項３に記載の広告情報登録・表示方法。
【請求項５】
前記店舗位置アイコンを、アニメーションＧＩＦ形式で表示することを特徴とする請求項３又は４に記載の広告情報登録・表示方法。
【請求項６】
前記店舗位置アイコンにマウスオーバーすることにより、前記店舗広告更新情報を表示することを特徴とする請求項３乃至５に記載の広告情報登録・表示方法。
【発明の詳細な説明】
【技術分野】
【０００１】
本発明は、インターネットを利用した広告情報登録・表示システム及び方法に関し、特に、利用者の生活行動圏を中心とした店舗等情報を容易に検索・閲覧可能な広告情報登録・表示システム及びその方法に関する。
【背景技術】
【０００２】
従来、インターネット上で地図情報と関連付けた広告表示方法に関する技術が開示されている（例えば特許文献１、非特許文献１）。この技術は、地図データベースを備え、ユーザからの要求に応じて、各地の地図をユーザコンピュータに送信するものである。一方、広告依頼者は、広告依頼者端末から地図情報サイトにアクセスし、地図上の自店の位置に対応付けて広告情報を送信する。地図情報サイトは、これを受けて、広告依頼者の地図上の位置に対応付けてその広告情報を記録する。利用者は、地図情報サイトにアクセスして、地図を表示する。その際、広告を掲載している会社については、地図上に広告マークが表示され、利用者がこの広告マークをクリックすると、これに対応付けて記録されている広告が地図情報サイトから送信されるというものである。
しかし、従来の広告情報表示システムでは、利用者の生活行動圏に対応するカスタマイズされた地図情報を表示することができず、使い勝手が悪いという問題がある。また、広告情報更新に関しても、広告依頼者の更新時期に関係なく定期的に行われるため、利用者にとって最新の情報を取得することが困難であるという問題がある。
【特許文献１】特開平９−３４９０２
【非特許文献１】http://www.mapion.co.jp/
【発明の開示】
【発明が解決しようとする課題】
【０００３】
本発明は、このような問題を解決するためのものであって、利用者がインターネット上に登録した生活行動圏の地図上に広告を表示することによって、利用者と広告主を結びつけることに関する技術を提供するものである。また、広告依頼者自身が端末から操作をすることによって当該広告をリアルタイムに更新し、利用者により新鮮な情報を提供することに関する技術を提供するものである。
【課題を解決するための手段】
【０００４】
（１）本発明は、利用者端末と、広告依頼者端末と、データベースサーバと、地図データベースと、各端末及び各データベース間の通信制御を行う管理サーバと、を含み、これらがインターネット回線を介して相互に通信可能な広告情報登録・表示システムであって、利用者端末は、予め定められた複数のエリアの中から選択した一又は複数のエリアを登録生活行動圏エリアとして登録可能に構成され、広告依頼者端末は、店舗広告更新情報を随時入力可能に構成され、データベースサーバは、少なくとも前記登録生活行動圏エリア情報を含む利用者情報と、広告依頼者店舗名称情報、広告依頼者店舗位置情報、前記店舗広告更新情報を含む広告依頼者情報と、を保存する手段を備え、管理サーバは、前記登録生活行動圏エリアの中から選択された選択エリア地図と、前記選択エリア内に存在する広告依頼者店舗位置を、地図データベースと照合して選択エリア地図上に表示可能に作成する手段と、を備えて成ることを特徴とする。
【０００５】
本発明により、利用者はサイトにアクセスするだけで、登録している生活行動圏の地図が端末画面上に表示され、またタブの切り替えをするだけで、別に登録してある生活行動圏の地図及び店舗情報等を閲覧することが可能となる。
【０００６】
本発明において、「登録生活行動圏エリア」としては、自宅周辺、勤務先、通勤経路、ショッピングなど、利用者の生活行動圏から任意に選択できる。「登録生活行動圏エリア」の数も任意に選択することが可能である。
【０００７】
「利用者端末」、「広告依頼者端末」としては、パソコン、携帯端末など任意の手段を選択することができる。
（２）さらに、本発明は、選択エリア地図が、複数の縮尺表示が選択可能に構成され、かつ、選択された縮尺に関わらず、前記店舗広告更新情報を最新入力から順に所定数の店舗位置を、アイコン表示可能に構成したことを特徴とする。
【０００８】
本発明により、広告文を広告依頼者自身がパソコンや携帯電話端末からリアルタイムに更新することが可能であるため、利用者は新鮮な情報を常に取得することが可能となる。
（３）さらに、本発明は、利用者端末と、広告依頼者端末と、データベースサーバと、地図データベースと、各端末及び各データベース間の通信制御を行う管理サーバと、を含み、これらがインターネット回線を介して相互に通信可能な広告情報登録・表示システムにおいて、予め定められた複数のエリアの中から選択した一又は複数のエリアを登録生活行動圏エリアとして利用者端末から登録するステップと、店舗広告更新情報を広告依頼者端末に随時入力するステップと、少なくとも前記登録生活行動圏エリアを含む利用者情報と、少なくとも広告依頼者店舗名称情報、広告依頼者店舗位置情報、前記店舗広告更新情報を含む広告依頼者店舗情報と、をデータベースサーバに保存するステップと、管理サーバが、前記登録生活行動圏エリアの中から選択された選択エリア地図と、前記選択エリア内に存在する広告依頼者店舗位置を、地図データベースと照合して選択エリア地図上に表示可能に作成するステップと、を含むことを特徴とする。
【０００９】
（４）さらに、本発明は、複数の縮尺表示から選択される地図の縮尺に関わらず、最新の前記店舗広告更新情報入力から順に予め定めた数の店舗位置を表示することを特徴とする。
【００１０】
表示のプライオリティーも更新時間順となっているため、より新鮮な情報を得ることが可能となる。
（５）さらに、本発明は、店舗位置アイコンを、アニメーションＧＩＦ形式で表示することを特徴とする。
（６）さらに、本発明は、店舗位置アイコンにマウスオーバーすることにより、前記店舗広告更新情報を表示することを特徴とする。
これらの発明により、地図上にアニメＧＩＦが設置されるため、利用者がアイコンをクリックすることなくマウスオーバーするだけで広告文を閲覧することが可能となる。
アニメＧＩＦを採用することにより、例えば、店舗位置を星形状のアイコンが回転する形態で表示することができ、閲覧者のアイキャッチ効果を高めることができる。
【発明の効果】
【００１１】
本発明により、インターネット上に登録した利用者の生活行動圏の地図上に、広告依頼者の広告を表示することができ、利用者と広告主を結びつけることが可能となる。また広告依頼者自身が端末から操作をすることによって、当該広告をリアルタイムに更新し、より新鮮な情報を利用者に提供することが可能となる。
【発明を実施するための最良の形態】
【００１２】
以下、本発明に係る広告情報登録・表示システムの一実施形態について、図１乃至１１を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１３】
＜全体システム構成＞
図１は、本発明の一実施形態に係る広告情報登録・表示システム１の全体構成を示す図である。広告情報登録・表示システム１は、インターネット回線３を介して接続される管理サーバ２、利用者端末１０、広告依頼者端末１１、地図サーバ９、データベース（ＤＢ）サーバ７を備えている。なお、ここに、管理サーバ２は、ＷＥＢサーバ４、利用者認証サーバ５、広告依頼者認証サーバ６、広告管理サーバ８により構成されるサーバ群の総称である。
【００１４】
＜ＷＥＢサーバ構成＞
図２は、ＷＥＢサーバ４の詳細構成を示すブロック図である。ＷＥＢサーバ４は、主制御部４ａ、通信制御部４ｃ、コンテンツ制御部４ｄ、検索部４ｂを主要構成とし、各構成要素がバス接続されている。ＷＥＢサーバ４は、各ＷＥＢブラウザー画面の送信、入力情報の受信、後述するＤＢサーバ７に格納された情報の送信を利用者端末３に対して行なうコンピュータであり、利用者端末３からの操作情報に応じて適宜利用者認証サーバ５、ＤＢサーバ７、地図サーバへアクセスし、サービス画面の生成を行う。
【００１５】
主制御部４ａは、ＣＰＵ、ＲＡＭ、ＲＯＭなどからなり、装置全体を統括制御して各種の実行指令を与える。通信制御部４ｃは、他装置との通信を行うための通信用インターフェースおよび通信ドライバを備える。コンテンツ制御部４ｄは、クライアント端末（利用者、広告依頼者とも）からの要求に応じてコンテンツを提供する。また、後述の検索部４ｂの各構成要素と連携し、利用者ごとに異なるコンテンツを動的に生成する。
【００１６】
検索部４ｂは、いずれも不図示の業種検索部、店舗名検索部、表示広告検索部、ベース広告検索部、会員情報検索部、生活行動圏検索部から構成されている。ここに、「業種検索部」は、利用者が掲載情報を参照する場合の検索条件として業種を指定または入力した場合に、ＤＢサーバ７から該当する業種を持つ掲載情報を検索する機能を有する。また、「表示広告検索部」は、ログイン直後に表示する地図の範囲内に所在する表示広告（星形状のアイコンが回転する表示（以下、「きらきら広告」という）掲載を、ＤＢサーバ７の検索基本情報ＤＢ７ｅから更新日順に検索する「きらきら広告」検索部により構成されている。
【００１７】
＜ＤＢサーバ７の構成＞
ＤＢサーバ７は、本システムによるサービスを実現するためのデータ、「きらきら広告」情報を格納するコンピュータである。
【００１８】
ＤＢサーバ７は、図３に示すように主制御部７ａ、通信制御部７ｂ、ＤＢアクセス部７ｃ、ＤＢ格納部７ｄから構成され、これらの構成要素がバス接続されている。ＤＢ格納部７ｄには、検索基本情報ＤＢ７ｅ、広告情報ＤＢ７ｆ、サービス別会員情報ＤＢ７ｇ、路線／駅データ７ｈ、住所データ７ｉが搭載されている。主制御部７ａは、ＣＰＵ、ＲＡＭ、ＲＯＭなどからなり、装置全体を統括制御して各種の実行指令を与える。通信制御部７ｂは、他装置との通信を行うための通信用インターフェースおよび通信ドライバを備える。
【００１９】
後述する生活行動圏登録サービスを提供するためのデータは、すべてＤＢサーバ７のデータベースとして管理されている。ＷＥＢサーバ４の検索部４ｂは、目的に応じて各種の検索機能によりＤＢサーバ７のＤＢアクセス部を介してデータを参照することになる。
【００２０】
会員ごとの個人情報と関連付けた生活行動圏登録ポイントも、緯度経度としてこのコンピュータ内のサービス別会員情報ＤＢ７ｇで管理される。
＜地図サーバ９の構成＞
地図サーバ９は、本システムで提供する地図画面を、ＷＥＢサーバ４からの緯度経度、表示縮尺等の要求情報に応じて生成・送信するコンピュータである。地図サーバ９は、図４に示すように主制御部９ａ、通信制御部９ｂ、座標解析部９ｃ、画面編集部９ｄ、ＤＢアクセス部９ｅ、ＤＢ格納部９ｆにより構成されている。座標解析部９ｃは、ＷＥＢサーバ４からの要求により地図の移動等が発生した場合、表示すべき地図の中心座標を求めたり、指定した２地点間の距離情報、指定緯度経度での表示可能縮尺などを返却する。画面編集部９ｄは、ＷＥＢサーバ４からの検索要求を受けて該当するＤＢから検索条件に合致する情報を検索し、その結果を要求元に返却する。ＤＢ格納部９ｆには、地図画像の表示に必要な情報が格納されており、ＷＥＢサーバ４から引き継いだ検索条件で地図画像ＤＢ９ｆにアクセスし、検索条件に合致する地図画像情報を検索する。地図画像ＤＢ９ｆには、地図画像、地図表示要件を満たす上で必要となる緯度経度情報などが格納されている。
【００２１】
＜その他サーバの構成＞
利用者認証サーバ５は、利用者端末１０から送出されるユーザ名とパスワードの組み合わせ、またはＣｏｏｋｉｅと呼ばれるサイト来歴情報を元に、本システム会員か否かを識別する。個人情報の共通項目をＤＢ管理する。
【００２２】
広告依頼者認証サーバ６は、広告依頼者端末１１から送出されるユーザ名とパスワードの組み合わせを基に、広告依頼者か否かを識別するコンピュータであり、会員ごとの個人情報を管理する。
【００２３】
広告管理サーバ８は、「きらきら広告」と連動し、「きらきら広告」以外の詳細広告を管理するコンピュータである。
広告情報登録・表示システム１は以上のように構成されており、次に本システムで可能となる広告情報登録・表示機能について説明する。
【００２４】
＜生活行動圏登録＞
最初に、図５を参照して、利用者端末１０を介して行われる生活行動圏登録のフローについて説明する。まず、利用者は会員登録を行う。利用者が、ＷＷＷブラウザを使用して本システム内の会員登録画面へのリンク画像をクリックすると（Ｓ１０１）、ＷＥＢサーバ４は要求電文に応じて会員登録画面を利用者端末１０に送信する（Ｓ１０２）。利用者は必要情報入力後、画面に設定された登録ボタンをクリックすることにより登録操作を行う。入力情報はパラメータ化され、利用者認証サーバ５の会員共通情報ＤＢに渡される。利用者認証サーバ５は、パラメータから利用者が入力したユーザＩＤを読み出し、会員共通情報ＤＢをアクセスして、同一ＩＤが無いかをチェックする（Ｓ１０４）。同一ＩＤが存在する場合はエラー処理に遷移しＩＤ再入力を促し、同一ＩＤが存在しない場合は、生活行動圏登録画面に遷移する。
【００２５】
ＷＥＢサーバ４は、前述の会員共通情報参照の際、同一ＩＤが存在しない場合には、入力済みの会員共通情報をパラメータで持ち回りながら、生活行動圏（生活行動圏）登録画面を利用者端末１０に送信する（Ｓ１０５）。生活行動圏登録画面に遷移する際、入力された会員共通情報の郵便番号がサービス提供エリアに該当する場合、生活行動圏の１番目に自宅住所として設定する。自宅住所はＤＢサーバ７に格納された郵便番号と住所が一意に関連付けられた辞書を参照することで決定され、得られた住所コードを地図サーバの座標解析部に渡し、最終的に緯度経度の値を取得する。取得した緯度経度情報と、生活行動圏名称（ここでは「自宅住所」）はユーザＩＤと関連付けられてパラメータに格納され、サービス別会員情報更新処理までセッション情報の中で管理される。
【００２６】
生活行動圏の登録位置はすべてこの緯度経度情報で管理され、トップページ表示時の地図表示の際の中心座標と、その後に実施される検索操作の際の検索中心位置の基本的な情報として活用される。また、生活行動圏登録画面は、後述するエリア選択補助要求の処理の再起画面になっており、エリア選択補助要求の処理を繰り返し実行することで、最大５箇所の生活行動圏を登録することが可能である。エリア選択は、地図、駅名、住所名の３通りの方法で生活行動圏登録が可能である。
【００２７】
必要な生活行動圏登録が完了した段階で、「生活行動圏の登録を終了する」というボタンをクリックすると、後述の会員共通情報更新とサービス別会員情報更新の各処理を起動する（Ｓ１０７）。
【００２８】
会員共通情報送信によってセッション情報の中に格納された会員共通情報の項目を、利用者認証サーバ５のＤＢアクセス部を通して会員共通情報ＤＢに格納する。
エリア選択補助によってセッション情報の中に格納された生活行動圏情報（緯度経度）と、会員共通情報の１項目であるユーザＩＤを、ＤＢサーバ７のＤＢアクセス部を通してサービス別会員情報ＤＢに格納する。最大５箇所登録される生活行動圏情報は、プログラム内でユーザＩＤと生活行動圏通番の組み合わせによってユニークインデックスとして管理され、同一ユーザＩＤで複数の生活行動圏情報を保有する要件を実現している。ユーザＩＤは会員共通情報ＤＢと同一のものであるので、サービス別会員情報ＤＢとのリレーション情報としても活用される。
【００２９】
会員共通情報更新、サービス別会員情報更新が正常処理されると、登録完了通知を利用者認証サーバ５から実施する（Ｓ１１０）。
会員共通情報更新、サービス別会員情報更新が正常処理されると、登録完了通知とは別に登録完了画面を生成して、利用者端末１０に対して送信する（Ｓ１１１）。登録完了画面の内容は一連の会員登録、生活行動圏登録によって取得された情報をセッション情報から取り出して生成される。利用者端末１０へ登録完了画面の送信が完了し、利用者が「本システムへ」のボタンをクリックすると、セッション情報からユーザＩＤとパスワード情報を取得し、本システムの会員用トップページに遷移する。
【００３０】
なお、本実施形態では利用者が会員登録を行う形態としたが、登録フリーの形態としても良い。
＜生活行動圏登録／エリア選択補助＞
次に、図６、１０を参照して、利用者が地図情報サイトにアクセスする生活行動圏エリア選択をするためのフローについて説明する。本実施形態では、エリア選択は地図、駅名、住所名の３通りの方法で生活行動圏登録が可能である。ここでは、「駅指定要求」の場合のフローについて説明する。
【００３１】
エリア選択補助要求画面から「駅で指定」ボタンをクリックすると（Ｓ２０１）、駅選択画面へ遷移する（Ｓ２０２）。この時利用者が任意に入力した生活行動圏名（「職場」や「遊び場」など）も地図指定時と同様に、同時にパラメータに格納される。
【００３２】
サービス提供エリアをカバーする路線を掲載した駅選択画面ページ（図１０）を利用者端末１０に送信する。路線図は各駅がクリックカブルになっており、駅をクリックした際には予め駅ごとに指定してある駅コードがパラメータとして渡されるよう設定されており、後述する緯度経度変換の入力情報として使用される。
【００３３】
利用者がサービス提供エリアの駅をクリックすると、駅コードがパラメータに格納され、ＷＥＢサーバ４に送信される（Ｓ２０３）。
ＷＥＢサーバ４は、受信した駅コードを入力情報とし、ＤＢサーバ７のＤＢアクセス部を介して路線／駅データを検索する要求電文を編集し、ＤＢサーバ７へ送信する（Ｓ２０４）。
【００３４】
検索要求電文を受信したＤＢサーバ７は、駅名、駅コード、路線名、路線コード、所在地緯度経度から成る路線／駅データをアクセスし、検索条件に該当する所在値緯度経度をサーチし、ＷＥＢサーバ４に送信する（Ｓ２０５）。
【００３５】
ＷＥＢサーバ４は、路線／駅データ検索の結果得られた値を生活行動圏登録緯度経度としてパラメータ化しセッションに格納し（Ｓ２０６）、さらに生活行動圏登録画面を利用者端末１０に送信して駅指定処理を完了する（Ｓ２０７）。駅指定の場合はこれ以上詳細な生活行動圏登録位置の調整はされず、駅の指定を以って操作確定となる。
【００３６】
なお、地図登録、住所名登録の場合もそれぞれ同様にして登録される。
＜地図／「きらきら広告」の表示＞
次に、図７、１１を参照して、生活行動圏の地図、及び「きらきら広告」をブラウザー画面上に表示するためのフローについて説明する。図７において、利用者端末１０から本システムのＴＯＰページへのアクセスがあると（Ｓ３０１）、利用者認証サーバ５は、会員か否かの判定のために利用者端末１０に対してＣｏｏｋｉｅを要求する（Ｓ３０２）。利用者端末１０は、利用者認証サーバ５からの要求に応じて、要求ドメインと合致するＣｏｏｋｉｅを検索し、存在する場合これを利用者認証サーバ５に応答電文として送信する（Ｓ３０３）。Ｃｏｏｋｉｅ情報が存在しない場合は、非会員用のＴＯＰページを利用者端末１０に送信し、後述のＳ３０３の処理と同様の処理を行う。
【００３７】
利用者認証サーバ５は、Ｃｏｏｋｉｅ情報から格納されているＣｏｏｋｉｅ−ＩＤと会員ＩＤを取得する（Ｓ３０４）。取得したＣｏｏｋｉｅ−ＩＤと会員ＩＤを検索キーとし、ＤＢアクセス部を介して会員共通情報ＤＢを検索する（Ｓ３０５）。
【００３８】
会員情報が存在する場合は、ＴＯＰページ構成要素を収集するために地図表示情報取得処理に遷移する（Ｓ３０６においてＯＫ）。会員情報が存在しない場合は、非会員用ＴＯＰページ送信処理を行う（Ｓ３０７）。
【００３９】
次に、地図表示情報取得のフローに移行する。利用者認証サーバ５は、ＴＯＰページの構成要素を収集する（Ｓ３０８）。構成要素としては、（ａ）デフォルト表示する生活行動圏ポイント、（ｂ）地図表示縮尺、（ｃ）地図表示サイズ等である。
【００４０】
これらの情報を取得するため、ＤＢサーバ７のＤＢアクセス部７ｃを介してサービス別会員情報ＤＢを検索する要求電文を編集し、ＤＢサーバ７に送信する。
ＤＢサーバ７は、利用者認証サーバ５からの要求に応じて、パラメータに格納されたユーザＩＤをキーにサービス別会員情報ＤＢを検索し、ＷＥＢサーバ４に送信する（Ｓ３０９）。
【００４１】
次に、ＷＥＢサーバ４は、地図上に表示する「きらきら広告」を検索する（Ｓ３１０）。検索条件は、地図表示情報取得処理で取得した、生活行動圏緯度経度情報を検索中心位置とし、地図表示縮尺と地図表示サイズから算出した平方距離内に存在するものを更新月日の順で出力することである。以上の検索条件を検索要求電文として編集し、ＤＢサーバ７へ送信する。また、地図上の見た目の煩雑さを避けるために、検索結果は最大２０件としている。
【００４２】
検索要求電文を受信したＤＢサーバ７は、ＤＢアクセス部を介して検索基本情報ＤＢと広告情報ＤＢを登録情報ＩＤで連結し検索を実行する（Ｓ３１１）。検索条件に合致した検索基本情報レコードから掲載名、所在地の緯度経度、「きらきら広告」の表示用広告文、より詳細な広告情報画面表示するための登録情報ＩＤを取得しパラメータとして格納する。
【００４３】
次に、ＷＥＢサーバ４は、「きらきら広告」表示位置確定を行う（Ｓ３１２）。具体的には、後述の相対座標取得処理で変換処理を行うための要求電文を作成する。電文パラメータには、表示中の地図の中心緯度経度、縮尺、地図の表示サイズと、各広告の緯度経度である。この時表示対象の「きらきら広告」の中で同一緯度経度を持つ広告依頼者が存在する場合は、緯度経度の要求パラメータを１個にまとめ、地図サーバに対して電文を送信する。
【００４４】
これを受けて、地図サーバは相対座標取得を行う（Ｓ３１３）。地図上に「きらきら広告」を配置するためには、表示位置を地図の縦、横の各ピクセル値に置き換える必要があり、本処理でそれを実現するものである。受信した電文パラメータを元に最大２０個の地図画像上の相対位置を算出し、ＷＥＢサーバ４へ返却する。
【００４５】
ＷＥＢサーバ４は、地図サーバから送信された相対座標に基づいて、ＴＯＰページの生成を行う（Ｓ３１４）。具体的な内容は、パラメータに格納された緯度経度を中心とした地図の要求電文の他に、パラメータ情報として他に表示可能な縮尺の種類、上下左右および斜め方向の８方向へ移動するための座標シフト量、シフト方向を地図表示要求パラメータとして同時に編集し、前述の相対座標取得処理で得た座標と、セッションに格納された広告情報、登録情報ＩＤをもとにＴＯＰページのソースを生成する。ＴＯＰページのソース生成完了後、画面表示情報として利用者端末１０へ送信する（Ｓ３１５）。
【００４６】
利用者端末１０では、ＴＯＰページを受信情報に従いＷＷＷブラウザに表示を行うが、その際に、地図サーバのＤＢアクセス部に対して編集済みの地図画像要求電文を送信する（Ｓ３１６）。地図サーバは受信した要求電文から中心座標、表示縮尺、表示サイズに該当する地図画像を地図ＤＢから検索し、合致した地図画像を利用者端末１０に送信する（Ｓ３１７）。この時点で、ＴＯＰページの全てのオブジェクトが表示完了となる。
【００４７】
図１１は表示画面の一例を示す図である。同図に示すように、「きらきら広告」１１ａは、星形状のアイコンがアニメＧＩＦ形式で回転する形態で表示される。また、利用者が所望の店舗位置アイコンにマウスオーバーすることにより、最新の店舗広告情報１１ｂが表示される。
【００４８】
＜きらきら広告の更新＞
次に、図８、１２を参照して、広告依頼者が随時行う店舗広告情報の更新を本システムに取り込むフローについて説明する。図８において、最初に広告依頼者端末１１からＷＷＷブラウザを使用して所定のＵＲＬが入力される（Ｓ４０１）。ＵＲＬは「きらきら広告」を契約した広告依頼者のみに通知されている。要求に応じて、カスタマ認証サーバ６は、ログインページを広告依頼者端末１１に送信する（Ｓ４０２）。広告依頼者は、広告公開時に払い出しを受けたログインＩＤ、パスワードを入力し、ログイン操作を行う（Ｓ４０３）。
【００４９】
カスタマ認証サーバ６は、受信したログインＩＤをパラメータから取得し（Ｓ４０４）、当該ログインＩＤが存在するかをチェックする（Ｓ４０５）。ログインＩＤが存在しない場合、またはＩＤが存在していてもパスワード情報が一致しない場合は（Ｓ４０５においてＮＧ）、広告依頼者端末１１にエラーページを送信し、再ログインを促す（Ｓ４０６）。
【００５０】
ログインＩＤが存在し、かつパスワード情報が一致する場合は、カスタマ管理ＤＢに格納されている登録情報ＩＤをセッションに格納し、業務選択画面送信処理（Ａ）に遷移する（Ｓ４０５においてＯＫ）。なお、登録情報ＩＤは、全ての「きらきら広告」に対してユニークに付与されており、ログインＩＤと対をなすことで、編集対象となる「きらきら広告」を一意に特定することが可能となる。
【００５１】
カスタマ認証サーバ６は、広告依頼者が操作できる項目をメニュー形式で表示する画面を、広告依頼者端末１１に対して送信する（Ｓ４０７）。広告依頼者からの要求（Ｓ４０８）に対応して、ＷＥＢサーバ４は、「きらきら広告」編集画面を送信する（Ｓ４０９）。
【００５２】
図１２は、「きらきら広告」編集画面の例を示す図である。広告依頼者が、更新セル１２ａに更新内容を記載して「きらきら広告」の更新を要求すると（Ｓ４１０）、要求電文を受信したＷＥＢサーバ４は入力内容をチェックし、問題がなければＤＢサーバ７に対して更新要求を送信する（Ｓ４１１）。
【００５３】
電文を受信したＤＢサーバ７はパラメータから取得した登録情報ＩＤを検索キーとして、一致する広告情報レコードを更新する（Ｓ４１２）。ＤＢ更新の折にはレコード編集権限のみを制限するためＷＥＢサーバ４からの参照に支障が無く、常時最新情報を提供することが可能である。
【００５４】
ＤＢ更新が完了後、更新完了通知がＷＥＢサーバ４を介して広告依頼者端末１１に対して送信される（Ｓ４１３）。
【産業上の利用可能性】
【００５５】
本発明は、インターネットを利用した広告情報登録・表示システムに広く適用可能である。
【図面の簡単な説明】
【００５６】
【図１】本発明の一実施形態に係る広告情報登録・表示システム１の全体構成を示す図である。
【図２】ＷＥＢサーバ４の詳細構成を示すブロック図である。
【図３】ＤＢサーバ７の詳細構成を示すブロック図である。
【図４】地図サーバ９の詳細構成を示すブロック図である。
【図５】生活行動圏登録フローを示す図である。
【図６】エリア選択（駅）登録フローを示す図である。
【図７】「きらきら広告」を画面に表示するフローを示す図である。
【図８】きらきら更新登録フローを示す図である。
【図９】生活行動圏登録画面の一例を示す図である。
【図１０】エリア選択（駅）登録の画面の一例を示す図である。
【図１１】「きらきら広告」表示画面の一例を示す図である。
【図１２】「きらきら広告」更新登録の画面を示す図である。
【符号の説明】
【００５７】
１・・・・広告情報登録・表示システム
２・・・・管理サーバ
３・・・・インターネット回線
４・・・・ＷＥＢサーバ
５・・・・利用者認証サーバ
６・・・・広告依頼者認証サーバ
７・・・・ＤＢサーバ
８・・・・広告管理サーバ
９・・・・地図サーバ
１０・・・利用者端末
１１・・・広告依頼者端末
【図１】
2006040129.tif 000003
【図２】
2006040129.tif 000004
【図３】
2006040129.tif 000005
【図４】
2006040129.tif 000006
【図５】
2006040129.tif 000007
【図６】
2006040129.tif 000008
【図７】
2006040129.tif 000009
【図８】
2006040129.tif 000010
【図９】
2006040129.tif 000011
【図１０】
2006040129.tif 000012
【図１１】
2006040129.tif 000013
【図１２】
2006040129.tif 000014